(57)【要約】【課題】ＲＦＩＤタグを付設したパネルが金属面から離間した状態で金属面に貼り付けることができ，かつ，剛性の高いＲＦＩＤタグ保持体を提供する。【解決手段】本発明に係るＲＦＩＤタグ保持体１は，形状が三角形である三角形パネル１１と，形状が四角形のパネルとして，ＲＦＩＤタグ１００を付設したタグパネル１０，第１側面パネル１２および第２側面パネル１３を備え，タグパネル１０，第１側面パネル１２および第２側面パネル１３が三角形パネル１１のそれぞれの辺に垂設している三角柱の形態をなしており，三角柱の外側になる三角形パネル１１の面に付着層１１０を設けている。【選択図】図１
2018156300.tif 000002
【特許請求の範囲】
【請求項１】
形状が三角形である三角形パネルと，形状が四角形のパネルとして，ＲＦＩＤタグを付設したタグパネル，第１側面パネルおよび第２側面パネルを備え，前記タグパネル，前記第１側面パネルおよび前記第２側面パネルが前記三角形パネルのそれぞれの辺に垂設している三角柱の形態をなしており，三角柱の外側になる前記三角形パネルの面に付着層を設けたことを特徴とするＲＦＩＤタグ保持体。
【請求項２】
前記三角形パネルの形状を直角三角形とし，前記三角形パネルおよび前記第１側面パネルは，直角三角形の直角を形成している前記三角形パネルの辺に，前記第２側面パネルは，直角三角形の斜辺になる前記三角形パネルの辺にそれぞれ垂設しており，三角柱の外側になる前記三角形パネルの面に加えて，三角柱の外側になる前記第１側面パネルの面にも付着層を設けたことを特徴とする，請求項１に記載したＲＦＩＤタグ保持体。
【請求項３】
前記タグパネル，前記第１側面パネルおよび前記第２側面パネルが一列に連結し，前記三角形パネルが，前記タグパネル，前記第１側面パネルおよび前記第２側面パネルのいずれか一つと連結した一枚のシートを組み立てることで構成されていることを特徴とする，請求項１または請求項２に記載したＲＦＩＤタグ保持体。
【請求項４】
形状が三角形である三角形パネルと，形状が四角形であるパネルとして，ＲＦＩＤタグを付設したタグパネル，第１側面パネルおよび第２側面パネルを備え，前記タグパネル，前記第１側面パネルおよび前記第２側面パネルが一列に連結し，前記三角形パネルが，前記タグパネル，前記第１側面パネルおよび前記第２側面パネルのいずれか一つと連結した形態をなしており，三角柱の形態に組み立てたとき，三角柱の外側になる前記三角形パネルの面に付着層を設けたことを特徴とするＲＦＩＤタグ保持体用シート。
【請求項５】
前記三角形パネルの形状を直角三角形とし，三角柱の形態に組み立てたとき，直角三角形の直角を形成している前記三角形パネルの二辺の一方の辺と前記タグパネルが連結し他方の辺と前記第１側面パネルが連結するように前記三角形パネルを配置し，三角柱の外側になる前記三角形パネルの面に加えて，三角柱の形態に組み立てたとき，三角柱の外側になる前記第１側面パネルの面にも付着層を設けたことを特徴とする，請求項４に記載したＲＦＩＤタグ保持体用シート。
【発明の詳細な説明】
【技術分野】
【０００１】
本発明は，ＲＦＩＤ（Radio Frequency Identification）タグを付設した保持体であるＲＦＩＤタグ保持体およびＲＦＩＤタグ保持体用シートを提供する発明である。
【背景技術】
【０００２】
所定の周波数帯の電波を利用して無線通信するＲＦＩＤタグは，様々な被着体に貼り付けられて利用される。金属製の被着体（例えば，金属製のキャビネットの内部）にＲＦＩＤタグを貼り付けなければならない場合もあるが，金属面にＲＦＩＤタグを貼り付けると電波障害が発生し，ＲＦＩＤタグが無線通信できなくなるため，金属面にＲＦＩＤタグを取り付ける際には，ＲＦＩＤタグに対する金属面の影響を小さくする工夫が必要になる。
【０００３】
ＲＦＩＤタグに対する金属面の影響を小さくする発明として，ＲＦＩＤタグと金属面の間に磁性材料（例えば，アズキャストのアモルファスから成る磁性材料）を配置する発明が特許文献１で開示されているが，特許文献１で開示されている発明では，磁性材料が必要になるため，ＲＦＩＤタグのコストが高くなってしまう。
【０００４】
磁性材料をＲＦＩＤタグに備えさせることなく，ＲＦＩＤタグに対する金属面の影響を小さくする発明として，ＲＦＩＤタグを付設したタグ付設部を有する凸形状のＲＦＩＤラベルが特許文献２で開示されている。特許文献２の図６のように，ＲＦＩＤタグを付設したタグ付設部を折り曲げ，タグ付設部がラベル本体から突出した状態で特許文献２に係るＲＦＩＤラベルを金属面に貼り付けることで，タグ付設部に付設したＲＦＩＤタグと金属面が離間し，ＲＦＩＤタグに対する金属面の影響は小さくなる。
【先行技術文献】
【特許文献】
【０００５】
【特許文献１】特開２００４−３８７０２号公報
【特許文献２】特開２００７−３４８６８号公報
【発明の概要】
【発明が解決しようとする課題】
【０００６】
特許文献２で開示されている発明のように，ＲＦＩＤタグと金属面を離間させることで，磁性材料を必要とすることなく，ＲＦＩＤタグに対する金属面の影響を小さくできる。しかし，特許文献２で開示されている発明には，ラベル本体から突出したタグ付設部の剛性が弱い問題があり，例えば，タグ付設部が正面方向から風を受けると，タグ付設部が傾いた状態になってしまう危険性がある。
【０００７】
そこで，本発明は，ＲＦＩＤタグを付設したパネルを備えた保持体であって，ＲＦＩＤタグを付設したパネルが金属面から離間した状態で金属面に貼り付けることができ，かつ，剛性の高いＲＦＩＤタグ保持体を提供することを目的とし，更に，このＲＦＩＤタグ保持体用のシートをも提供することを目的とする。
【課題を解決するための手段】
【０００８】
上述した課題を解決する第１の発明は，形状が三角形である三角形パネルと，形状が四角形のパネルとして，ＲＦＩＤタグを付設したタグパネル，第１側面パネルおよび第２側面パネルを備え，前記タグパネル，前記第１側面パネルおよび前記第２側面パネルが前記三角形パネルのそれぞれの辺に垂設している三角柱の形態をなしており，三角柱の外側になる前記三角形パネルの面に付着層を設けたことを特徴とするＲＦＩＤタグ保持体である。
【０００９】
更に，第２の発明は，第１の発明において，前記三角形パネルの形状を直角三角形とし，前記三角形パネルおよび前記第１側面パネルは，直角三角形の直角を形成している前記三角形パネルの辺に，前記第２側面パネルは，直角三角形の斜辺になる前記三角形パネルの辺にそれぞれ垂設しており，三角柱の外側になる前記三角形パネルの面に加えて，三角柱の外側になる前記第１側面パネルの面にも付着層を設けたことを特徴とする。
【００１０】
更に，第３の発明は，第１の発明または第２の発明において，前記タグパネル，前記第１側面パネルおよび前記第２側面パネルが一列に連結し，前記三角形パネルが，前記タグパネル，前記第１側面パネルおよび前記第２側面パネルのいずれか一つと連結した一枚のシートを組み立てることで構成されていることを特徴とする。
【００１１】
更に，第４の発明は，形状が三角形である三角形パネルと，形状が四角形であるパネルとして，ＲＦＩＤタグを付設したタグパネル，第１側面パネルおよび第２側面パネルを備え，前記タグパネル，前記第１側面パネルおよび前記第２側面パネルが一列に連結し，前記三角形パネルが，前記タグパネル，前記第１側面パネルおよび前記第２側面パネルのいずれか一つと連結した形態をなしており，三角柱の形態に組み立てたとき，三角柱の外側になる前記三角形パネルの面に付着層を設けたことを特徴とするＲＦＩＤタグ保持体用シートである。
【００１２】
更に，第５の発明は，第４の発明において，前記三角形パネルの形状を直角三角形とし，三角柱の形態に組み立てたとき，直角三角形の直角を形成している前記三角形パネルの二辺の一方の辺と前記タグパネルが連結し他方の辺と前記第１側面パネルが連結するように前記三角形パネルを配置し，三角柱の外側になる前記三角形パネルの面に加えて，三角柱の形態に組み立てたとき，三角柱の外側になる前記第１側面パネルの面にも付着層を設けたことを特徴とする。
【発明の効果】
【００１３】
上述した本発明に係るＲＦＩＤタグ保持体では，ＲＦＩＤタグ保持体に設けられた付着層を用いてＲＦＩＤタグ保持体を金属面に貼り付けると，ＲＦＩＤタグを付設したタグパネルは金属面に対して略垂直になり，タグパネルに付設されたＲＦＩＤタグは金属面から離間する。また，本発明に係るＲＦＩＤタグ保持体は三角柱の形態をなしているので，ＲＦＩＤタグ保持体の剛性は高くなっている。
【図面の簡単な説明】
【００１４】
【図１】本実施形態に係るＲＦＩＤタグ保持体を説明する図。
【図２】ＲＦＩＤタグ保持体の各パネルを説明する図。
【図３】ＲＦＩＤタグ保持体用シートを説明する図。
【図４】ＲＦＩＤタグ保持体用シートの組み立て方を説明する図。
【図５】ＲＦＩＤタグ保持体の貼り付け方を説明する第図。
【図６】変形例１に係るＲＦＩＤタグ保持体を説明する図。
【発明を実施するための形態】
【００１５】
ここから，本発明の好適な実施形態を記載する。なお，以下の記載は本発明の技術的範囲を束縛するものでなく，理解を助けるために記述するものである。
【００１６】
図１は，本実施形態に係るＲＦＩＤタグ保持体１を説明する図である。本実施形態に係るＲＦＩＤタグ保持体１は，形状が三角形である三角形パネル１１と，形状が四角形のパネルとして，ＲＦＩＤタグ１００を付設したタグパネル１０，第１側面パネル１２および第２側面パネル１３を備え，タグパネル１０，第１側面パネル１２および第２側面パネル１３が三角形パネル１１のそれぞれの辺に垂設している三角柱の形態をなしている。更に，図１で図示したＲＦＩＤタグ保持体１では，三角形パネル１１の形状は直角三角形で，三角形パネル１１および第１側面パネル１２は，直角三角形の直角を形成している三角形パネル１１の辺に，第２側面パネル１３は，直角三角形の斜辺になる三角形パネル１１の辺にそれぞれ垂設している。
【００１７】
図２は，ＲＦＩＤタグ保持体１の各パネルを説明する図である。図２（ａ）は，ＲＦＩＤタグ保持体１のタグパネル１０を正面から見たときの図である。三角柱の内側になるタグパネル１０の面にはＲＦＩＤタグ１００が付設されているが，ＲＦＩＤタグ保持体１を金属面に貼り付けるための層は設けられていない。図２（ｂ）は，ＲＦＩＤタグ保持体１の三角形パネル１１を正面から見たときの図である。本実施形態において三角形パネル１１は直角三角形の形状をなしており，三角柱の外側になる三角形パネル１１の面には，ＲＦＩＤタグ保持体１を金属面に貼り付けるための層である付着層１１０が設けられている。図２（ｃ）は，ＲＦＩＤタグ保持体１の第１側面パネル１２を正面方向から見たときの図である。三角柱の外側になる第１側面パネル１２の面にも，ＲＦＩＤタグ保持体１を金属面に貼り付けるための層である付着層１２０が設けられている。ＲＦＩＤタグ保持体１を金属面に貼り付けることができれば，付着層１１０および付着層１２０の具体的な形態は任意であるが，本実施形態では，粘着剤が塗布された両面テープを利用して付着層１１０および付着層１２０を実現し，付着層１１０は剥離紙１１１によって保護され，付着層１２０は剥離紙１２１によって保護されている。なお，ＲＦＩＤタグ保持体１の第２側面パネル１３には，ＲＦＩＤタグ保持体１を金属面に貼り付けるための層は設けられていない。
【００１８】
図１で図示したＲＦＩＤタグ保持体１は，タグパネル１０，三角形パネル１１，第１側面パネル１２および第２側面パネル１３に加え，三角形パネル１１と第１側面パネル１２の接着に用いる粘着層１４０を設けた糊付けパネル１４，三角形パネル１１と第２側面パネル１３の接着に用いる粘着層１５０を設けた糊付けパネル１５，および，第１側面パネル１２と第２側面パネル１３の接着に用いる粘着層１６０を設けた糊付けパネル１６を備えた一枚のシートから三角柱の形態に組み立てることで構成されている。なお，図１で図示したＲＦＩＤタグ保持体１において，タグパネル１０は，三角形パネル１１，第１側面パネル１２および第２側面パネル１３とそれぞれ連結しており，ＲＦＩＤタグ保持体１は，三角形パネル１１，第１側面パネル１２，および，第２側面パネル１３それぞれとタグパネル１０を連結するためのパネルを備えていない。
【００１９】
図３は，ＲＦＩＤタグ保持体１の組み立てに用いるＲＦＩＤタグ保持体用シート２を説明する図で，図３（ａ）は，三角柱の内側になるＲＦＩＤタグ保持体用シート２の面を説明する図，図３（ｂ）は，三角柱の外側になるＲＦＩＤタグ保持体用シート２の面を説明する図である。
【００２０】
図３で図示したＲＦＩＤタグ保持体用シート２は，底面が一つの三角柱を展開して得られ，紙やプラスチックなど非導電性を有する比較的薄い素材のシートで，形状が三角形である三角形パネル１１と，形状が四角形であるパネルとして，ＲＦＩＤタグ１００を付設したタグパネル１０，第１側面パネル１２および第２側面パネル１３を備え，第１側面パネル１２，タグパネル１０および第２側面パネル１３が一列に連結し，三角形パネル１１は，タグパネル１０と連結した形態をなしている。具体的に，図３では，折線１７ｂを介して第１側面パネル１２がタグパネル１０に連結し，折線１７ｃを介して第２側面パネル１３がタグパネル１０に連結し，そして，折線１７ａを介して三角形パネル１１がタグパネル１０に連結している。また，三角形パネル１１は，三角柱の形態に組み立てたとき，直角三角形の直角を形成している三角形パネル１１の二辺の一方の辺（ここでは，折線１７ａになる）とタグパネル１０が連結し，他方の辺（１１ａ）と第１側面パネル１２が連結するように配置されている。なお，図３では，ＲＦＩＤタグ保持体用シート２の形態で，三角形パネル１１が連結しているパネルはタグパネル１０になるが，このパネルを第１側面パネル１２または第２側面パネル１３にすることもできる。更に，図３で図示したＲＦＩＤタグ保持体用シート２では，また，第１側面パネル１２には，折線１７ｄを介して糊付けパネル１４が連結し，折線１７ｆを介して糊付けパネル１６が連結し，第２側面パネル１３には，折線１７ｅを介して糊付けパネル１５が連結している。
【００２１】
図３（ａ）に図示したように，ＲＦＩＤタグ１００は，三角柱の内側になるタグパネル１０の面に付設され，付着層１２０は，三角柱の形態に組み立てたとき，三角柱の外側になる第１側面パネル１２の面に形成され，付着層１１０は，三角柱の形態に組み立てたとき，三角柱の外側になる三角形パネル１１の面に形成されている。また，粘着層１４０は，三角柱の形態に組み立てたとき，三角柱の外側になる糊付けパネル１４の面に形成され，粘着層１５０は，三角柱の形態に組み立てたとき，三角柱の外側になる糊付けパネル１５の面に形成され，そして，粘着層１６０は，三角柱の形態に組み立てたとき，三角柱の外側になる糊付けパネル１６の面に形成されている。
【００２２】
また，図３（ｂ）で図示したように，三角形パネル１１の面に形成された付着層１１０は剥離紙１１１によって，第１側面パネル１２の面に形成された付着層１２０は剥離紙１２１によってそれぞれ保護されている。また，糊付けパネル１４の面に形成された粘着層１４０は剥離紙１４１によって，糊付けパネル１５の面に形成された粘着層１５０は剥離紙１５１によって，糊付けパネル１６の面に形成された粘着層１６０は剥離紙１６１によってそれぞれ保護されている。
【００２３】
図４は，ＲＦＩＤタグ保持体用シート２の組み立て方を説明する図である。ＲＦＩＤタグ保持体用シート２を組み立てる際，まず，図４（ａ）で図示したように，折線１７ａに沿って，タグパネル１０に連結している三角形パネル１１を略垂直に折り曲げる。次に，図４（ｂ）で図示したように，折線１７ｄに沿って，第１側面パネル１２と連結している糊付けパネル１４を折り曲げ，更に，折り曲げた状態の三角形パネル１１の辺（１１ａ）に対して第１側面パネル１２が垂設するように，折線１７ｂに沿って第１側面パネル１２を折り曲げた後，剥離紙１４１を剥がして露出させた粘着層１４０を用いて，三角形パネル１１と糊付けパネル１４を接着させる。次に，折線１７ｆに沿って糊付けパネル１６を折り曲げ，更に，折線１７ｅに沿って糊付けパネル１５を折り曲げた後，折り曲げた状態の三角形パネル１１の辺（１１ｂ）に対して第２側面パネル１３が垂設するように，折線１７ｃに沿って第２側面パネル１３を折り曲げ，剥離紙１５１を剥がして露出させた粘着層１５０を用いて，三角形パネル１１と糊付けパネル１５を接着させ，更に，剥離紙１６１を剥がして露出させた粘着層１６０を用いて，第１側面パネル１２と第２側面パネル１３を接着させることで，図１で図示したＲＦＩＤタグ保持体１の組み立てが完成する。
【００２４】
これまで説明したＲＦＩＤタグ保持体１では，三角形パネル１１に形成された付着層１１０または第１側面パネル１２に形成された付着層１２０のいずれか一つを利用して，ＲＦＩＤタグ保持体１を金属面に貼り付けると，タグパネル１０に付設されたＲＦＩＤタグ１００は金属面に対して略垂直の状態になるため，ＲＦＩＤタグ１００に対する金属面の影響は小さくなる。また，三角形パネル１１に形成された付着層１１０または第１側面パネル１２に形成された付着層１２０のいずれか一つを利用して，ＲＦＩＤタグ保持体１を金属面に貼り付けることで，タグパネル１０に付設したＲＦＩＤタグ１００の向き（縦向き／横向き）を変えてＲＦＩＤタグ保持体１を金属面に貼り付けることができる。更に，ＲＦＩＤタグ保持体１は，タグパネル１０，第１側面パネル１２および第２側面パネル１３の３つのパネルが三角形パネル１１のそれぞれの辺に垂設している三角柱の形態をなしているため，ＲＦＩＤタグ保持体１の剛性は高く，風などによる応力を受けても，ＲＦＩＤタグ１００を付設したタグパネル１０が金属面から離間している姿勢は保持される。なお，ＲＦＩＤタグ１００を付設したタグパネル１０の向きは，ＲＦＩＤタグ１００との通信状態や，ＲＦＩＤタグ保持体１を貼り付ける箇所の高さなどによって決定されることになる。
【００２５】
なお，タグパネル１０と三角形パネル１１間の角度，三角形パネル１１と第１側面パネル１２間の角度，三角形パネル１１と第２側面パネル１３間の角度，および，タグパネル１０と第１側面パネル１２間の角度は，ＲＦＩＤタグ保持体１を金属面に貼り付けたときにＲＦＩＤタグ１００が動作することを条件として，厳密に垂直（９０度）でなくてもよい。
【００２６】
図５は，本実施形態に係るＲＦＩＤタグ保持体１の貼り付け方を説明する図である。図５（ａ）は，ＲＦＩＤタグ１００を付設したタグパネル１０の向きが縦長になるように，ＲＦＩＤタグ保持体１を金属面に貼り付けた時の図である。図５（ａ）で図示したように，三角形パネル１１の外側に形成した付着層１１０を使用して，ＲＦＩＤタグ保持体１を金属面に貼り付けることで，ＲＦＩＤタグ１００を付設したタグパネル１０の向きを縦長にした状態で，ＲＦＩＤタグ保持体１を金属面に貼り付けることができる。
【００２７】
図５（ｂ）は，ＲＦＩＤタグ１００を付設したタグパネル１０の向きが横長になるように，ＲＦＩＤタグ保持体１を金属面に貼り付けた時の図である。図５（ｂ）で図示したように，第１側面パネル１２の外側に形成した付着層１２０を使用して，ＲＦＩＤタグ保持体１を金属面に貼り付けることで，ＲＦＩＤタグ１００を付設したタグパネル１０の向きを横長にした状態で，ＲＦＩＤタグ保持体１を金属面に貼り付けることができる。
【００２８】
ここから，本実施形態に係るＲＦＩＤタグ保持体１の変形例について説明する。ＲＦＩＤタグ保持体１は上述した本実施形態に限定されることなく，様々な変更が可能である。
【００２９】
図６は，変形例１に係るＲＦＩＤタグ保持体３を説明する図である。図１で図示したＲＦＩＤタグ保持体１では，三角形パネル１１の形状を直角三角形としていたが，三角形パネル１１の形状は三角形であれば直角三角形に限定されない。図１で図示したＲＦＩＤタグ保持体１と同様に，変形例１に係るＲＦＩＤタグ保持体３は，付着層３１０が設けられ形状が二等辺三角の三角形パネル３１，ＲＦＩＤタグ３００を付設したタグパネル３０，第１側面パネル３２および第２側面パネル３３を備え，タグパネル１０，第１側面パネル３２および第２側面パネル３３それぞれを三角形パネル３１の各辺に垂設させた三角柱の形態になっている。変形例１に係るＲＦＩＤタグ保持体３においても，パネル間の連結に用いるパネルが必要になるが，図６では図示していない。また，図６で図示した変形例１に係るＲＦＩＤタグ保持体３では，第１側面パネル３２の面を金属面に貼り付けると，タグパネル１０に付設されたＲＦＩＤタグ１００は金属面に対して垂直の状態にならないため，三角形パネル３１のみに付着層３１０を形成している。
【符号の説明】
【００３０】
１    ＲＦＩＤタグ保持体
１０  タグパネル
１１  三角形パネル
１２  第１側面パネル
１３  第２側面パネル
１４，１５，１６  糊付けパネル
１１０，１２０  付着層
１４０，１５０，１６０  粘着層
２    ＲＦＩＤタグ保持体用シート
３    変形例1に係るＲＦＩＤタグ保持体
【図１】
2018156300.tif 000003
【図２】
2018156300.tif 000004
【図３】
2018156300.tif 000005
【図４】
2018156300.tif 000006
【図５】
2018156300.tif 000007
【図６】
2018156300.tif 000008